(57)【要約】【課題】  天然水の効果を持つ水を人口的に容易に生成する簡潔構造の天然水生成装置を提供すること。【解決手段】  本発明の天然水生成装置１０は、上面部には注水口１２が取り付けられ、底面部には排水口１３が形成された外側円筒ケース１１と、外側円筒ケース１１に内装された内側円筒ケース１５と、注水口１２に接続し内側円筒ケース１５の上面側を貫通し下方に伸びた導入管１４と、一端が内側円筒ケース１５の内側上方にあり、他端が内側円筒ケース１５の上面側を貫通したＵ字管１６と、外側円筒ケース１１の各部に内装される天降石の粒石２１とを備え、注水口１２からの水は、導入管１４を通り分散され、内側円筒ケース１５の中を上昇し、Ｕ字管１６の中を通り分散され、外側円筒ケース１１と内側円筒ケース１５との隙間を通り下降し排出されることとした。【選択図】図１
2009183929.tif 000002
【特許請求の範囲】
【請求項１】
上面部には注水口が取り付けられ、底面部には排水口が形成された外側円筒ケースと、前記外側円筒ケースに内装された内側円筒ケースと、前記注水口に接続し前記内側円筒ケースの上面側を貫通し下方に伸びた導入管と、一端が前記内側円筒ケースの内側上方にあり、他端が前記内側円筒ケースの上面側を貫通したＵ字管と、前記導入管、前記内側円筒ケース、前記Ｕ字管との内部と、前記外側円筒ケースと前記内側円筒ケースとの隙間に内装される天降石の粒石とを備え、前記注水口から注水された水は、前記導入管を通り分散され、前記内側円筒ケースの中を上昇し、前記Ｕ字管の中を通り分散され、前記外側円筒ケースと前記内側円筒ケースとの隙間を通り下降し、前記排水口から排出されることを特徴とする天然水生成装置。
【請求項２】
前記導入管の下端の下方には、前記内側円筒ケースの前記下面側に第１突起部が形成され、前記Ｕ字管の前記一端の上方には、前記内側円筒ケースの前記上面側に第２突起部が形成され、前記Ｕ字管の前記他端の上方には、前記外側円筒ケースの前記上面部に第３突起部が形成されていることを特徴とする請求項１に記載の天然水生成装置。
【発明の詳細な説明】
【技術分野】
【０００１】  本発明は、天然水の効果を持つ水を人口的に生成することができる天然水生成装置に関する。
【背景技術】
【０００２】  天降石（商品名）は、天然の鉱石であり、天降石の山からの湧水の天然水は、汚染物質が除去され、ミネラルを含んでおり美味しく、また、人体の細胞を活性化させることで知られている。
外箱の内部にフィルタを備え水道水の浄化をする浄水器（例えば、特許文献１参照）があり、この浄水器でフィルタの代わりに天降石の粒石を用い人口的に天降石の天然水を生成することも考えられるが、人口的に生成するためには天降石に水を的確に永く触れさせる必要があり、天然水の効果を持つ水を人口的に容易に生成することは困難であるという問題があった。【０００３】
【特許文献１】  特開平８−１１２５８９号公報
【発明の開示】
【発明が解決しようとする課題】
【０００４】  本発明は、上記に鑑みてなされたものであって、天然水の効果を持つ水を人口的に容易に生成することはできる簡潔構造の天然水生成装置を提供することを目的とする。
【課題を解決するための手段】
【０００５】  本発明の天然水生成装置は、上面部には注水口が取り付けられ、底面部には排水口が形成された外側円筒ケースと、前記外側円筒ケースに内装された内側円筒ケースと、前記注水口に接続し前記内側円筒ケースの上面側を貫通し下方に伸びた導入管と、一端が前記内側円筒ケースの内側上方にあり、他端が前記内側円筒ケースの上面側を貫通したＵ字管と、前記導入管、前記内側円筒ケース、前記Ｕ字管との内部と、前記外側円筒ケースと前記内側円筒ケースとの隙間に内装される天降石の粒石とを備え、前記注水口から注水された水は、前記導入管を通り分散され、前記内側円筒ケースの中を上昇し、前記Ｕ字管の中を通り分散され、前記外側円筒ケースと前記内側円筒ケースとの隙間を通り下降し、前記排水口から排出されることとした。
さらに、前記導入管の下端の下方には、前記内側円筒ケースの前記下面側に第１突起部が形成され、前記Ｕ字管の前記一端の上方には、前記内側円筒ケースの前記上面側に第２突起部が形成され、前記Ｕ字管の前記他端の上方には、前記外側円筒ケースの前記上面部に第３突起部が形成されていることとした。
【発明の効果】
【０００６】  本発明の天然水生成装置は、上面部には注水口が取り付けられ、底面部には排水口が形成された外側円筒ケースと、前記外側円筒ケースに内装された内側円筒ケースと、前記注水口に接続し前記内側円筒ケースの上面側を貫通し下方に伸びた導入管と、一端が前記内側円筒ケースの内側上方にあり、他端が前記内側円筒ケースの上面側を貫通したＵ字管と、前記導入管、前記内側円筒ケース、前記Ｕ字管との内部と、前記外側円筒ケースと前記内側円筒ケースとの隙間に内装される天降石の粒石とを備え、前記注水口から注水された水は、前記導入管を通り分散され、前記内側円筒ケースの中を上昇し、前記Ｕ字管の中を通り分散され、前記外側円筒ケースと前記内側円筒ケースとの隙間を通り下降し、前記排水口から排出されることとしたため、天然水の効果を持つ水を人口的に容易に簡潔構造で生成することができる。
さらに、前記導入管の下端の下方には、前記内側円筒ケースの前記下面側に第１突起部が形成され、前記Ｕ字管の前記一端の上方には、前記内側円筒ケースの前記上面側に第２突起部が形成され、前記Ｕ字管の前記他端の上方には、前記外側円筒ケースの前記上面部に第３突起部が形成されていることとしたため、注水された水は、天降石の粒石により、よりで効果的に活性化することができる。
【発明を実施するための最良の形態】
【０００７】  以下、本発明の実施の形態の天然水生成装置につき説明する。
【実施例】
【０００８】  図１は、本発明の実施の形態の天然水生成装置の縦断面図を示す。
本発明の実施の形態の天然水生成装置１０は、図１に示すように、外側円筒ケース１１と、外側円筒ケース１１に内装される内側円筒ケース１５とが設けられている。外側円筒ケース１１は、上部中心に注水口１２が取り付けられた上面部１１ａで上部がふさがれ、底面部１１ｂには排水口１３が形成されている。内側円筒ケース１５は、注水口１２に接続した導入管１４が上面側１５ａを貫通し下面側１５ｂの上側まで伸び取り付けられ、また、一端１６ａが内側円筒ケース１５の内側上方にあり、他端１６ｂが上面側１５ａを貫通し上面部１１ａの下側まで伸びたＵ字管１６が取り付けられている。【０００９】  内側円筒ケース１５の上面側１５ａを貫通し、内側円筒ケース１５の下面側１５ｂの上側まで伸びた導入管１４の下端１４ａの下方には、内側円筒ケース１５の下面側１５ｂに第１の突起部１７ａが形成されている。また、Ｕ字管１６の一端１６ａの上方には、内側円筒ケース１５の上面側１５ａに第２の突起部１７ｂが形成され、Ｕ字管１６の他端１６ｂの上方には、外側円筒ケース１１の上面部１１ａに第３の突起部１７ｃが形成されている。天降石の粒石２１は、導入管１４、内側円筒ケース１５、Ｕ字管１６との内部と、外側円筒ケース１１と内側円筒ケース１５との隙間に内装される。
注水口１２から注水された水ｈは、天降石の粒石２１が内装された導入管１４を通り第１の突起部１７ａで分散され、天降石の粒石２１の内装された内側円筒ケース１５の中を上昇し、一端１６ａの第２の突起部１７ｂで集合し天降石の粒石２１が内装されたＵ字管１６の中を通り第３の突起部１７ｃで分散され、天降石の粒石２１が内装された外側円筒ケース１１と内側円筒ケース１５との隙間を通り下降し、天降石の粒石２１の外側への流出防止のふるい２２を通過して排水口１３から排出される。【００１０】  このとき、注水口１２から注水された水ｈは、第１の突起部１７ａで分散されるため流速が減速し、内側円筒ケース１５の中を減速した定速度で上昇し、第２の突起部１７ｂで集合して流速が増速し、Ｕ字管１６の中を増速した定速度で通過し、第３の突起部１７ｃで分散されるため流速が減速し、外側円筒ケース１１と内側円筒ケース１５との隙間を減速した定速度で下昇し、減速と増速を繰り返しそれぞれの定速度で天降石の粒石２１の中を通過する。
そのため、注水された水は、天降石の粒石２１により、比較的短期間で効果的に活性化することができる。【００１１】  なお、本発明の実施の形態の天然水生成装置は、水を活性化させる天然の鉱石として天降石の粒石を使用する実施例につき説明したが、これに限定することなく、水を活性化させる他の天然の鉱石を使用することができる。
また、水の活性化として、磁石の使用や、外部からの空気の気泡の混入なども併用することができる。
【図面の簡単な説明】
【００１２】
【図１】  本発明の実施の形態の天然水生成装置の縦断面図を示す。
【符号の説明】
【００１３】  １０  天然水生成装置
１１  外側円筒ケース
１２  注水口
１３  排水口
１４  導入管
１５  内側円筒ケース
１６  Ｕ字管
１７ａ  第１の突起部  １７ｂ  第２の突起部  １７ｃ  第３の突起部
２１  天降石の粒石
【図１】
2009183929.tif 000003